(57)【特許請求の範囲】
【請求項１】
貫通穴の内面を洗浄するための方法であって、
外周に洗浄液を噴射するための噴射口が設けられたノズルを前記貫通穴に挿入して、前記貫通穴の両端にシール領域を形成することにより、前記噴射口を前記シール領域よりも前記貫通穴の軸方向中央側に配置し、これにより
前記ノズルの外面と前記貫通穴の内面との間に形成され、前記シール領域よりも前記貫通穴の軸方向中央側の空間を、前記噴射口から前記洗浄液を噴射した際に前記洗浄液の昇圧を可能とする昇圧空間とした、貫通穴の洗浄方法。
【請求項２】
前記貫通穴の内面は、複数の部品をサブアセンブリすることで形成されたものである請求項１に記載の貫通穴の洗浄方法。
【発明の詳細な説明】
【技術分野】
【０００１】
本発明は、貫通穴の洗浄方法に関する。
【背景技術】
【０００２】
例えば、エンジンの製造工程においては、一通りの機械加工を終えたシリンダヘッドに対して、上記加工時に付着した切粉や切削油等を除去するための洗浄を施すのが一般的である。ここで、下記特許文献１には、シリンダヘッドの洗浄方法として、機械加工を施した後でエンジン組立て前のシリンダヘッドを、カムシャフト回転中心軸線が鉛直方向に延在するよう立設させた状態で洗浄を行う方法が記載されている。
【０００３】
また、下記特許文献２には、シリンダブロックの洗浄方法として、内部洗浄装置に設けたノズルをシリンダブロック内に挿入し、ノズルを上下方向に移動させ、かつ回転させながら洗浄液を噴射することで、シリンダブロックの内面に対して直角となる向きに洗浄液を噴射し、当該内面を洗浄する方法が記載されている。
【先行技術文献】
【特許文献】
【０００４】
【特許文献１】特開２００６−７５７７０号公報
【特許文献２】特開２００９−２０３８３３号公報
【発明の概要】
【発明が解決しようとする課題】
【０００５】
ところで、シリンダヘッドにおいては、上述のように一通りの機械加工を施したシリンダヘッド全体を洗浄した後に、例えばカムキャップなどの部品をサブアセンブリし、このサブアセンブリにより形成された穴（カムシャフトの軸受穴）の内面に研削等の仕上げ加工を施す場合がある。このような場合には、軸受面となる穴の内面に切粉が残留することによる焼付きの発生を防止するために、仕上げ加工を施した箇所に対して洗浄を再度行う必要が生じる。
【０００６】
この場合、例えば上記特許文献２に記載の洗浄手段を利用して、図５に示すように、ノズル本体１０９の長手方向に直交する向きの噴射口１１０を設けたノズル１０７を対応する穴１０５（ここではカムシャフトの軸受穴）に挿入して、その内周面１０６を洗浄する方法が考えられる。
【０００７】
しかしながら、この種の穴１０５の内周面１０６には、図５に示すように、軸受面への円滑な油の供給を図るための穴（油供給穴１１３）が開口していることが多く、また、油供給穴１１３が貫通していることも多い。そのために、同図に示すようなノズル１０７の噴射口１１０を油供給穴１１３に向けて洗浄液を噴射したとしても、洗浄液の液圧が十分に高まらずに、油供給穴１１３の内部に残った切粉を洗い流すことが難しい。
【０００８】
例えばサブアセンブリした部品を組み外してから個々の部品ごとに洗浄を行えば、図５の洗浄形態よりも洗浄能力を高めることができ、また洗浄効率（洗浄時間）も短縮できるように思われる。しかしながら、本来、この洗浄工程の後にはエンジンの組立て工程が設けられているため、上述のように個々の部品ごとに洗浄を施したのでは、加工工程やエンジンの組立て工程とは別に洗浄工程を設ける必要が生じる。また、洗浄工程の前後でサブアセンブリした部品の組み外しと再サブアセンブリが必要となり、作業工数の増加を招く。
【０００９】
もちろん、上記の問題はシリンダヘッドに限ったことではなく、他種の部品においてサブアセンブリ箇所となる貫通穴に加工を施し、然る後に加工面の洗浄を行う場合にも同様に起こり得る。
【００１０】
以上の事情に鑑み、貫通穴の内面に対する洗浄能力および洗浄効率の向上を共に図ることのできる貫通穴の洗浄方法を提供することを、本発明により解決すべき技術的課題とする。
【課題を解決するための手段】
【００１１】
前記課題の解決は、本発明に係る貫通穴の洗浄方法により達成される。すなわち、この洗浄方法は、貫通穴の内面を洗浄するための方法であって、外周に洗浄液を噴射するための噴射口が設けられたノズルを貫通穴に挿入して、貫通穴の両端にシール領域を形成することにより、噴射口をシール領域よりも貫通穴の軸方向中央側に配置し、これによりノズルの外面と貫通穴の内面との間に形成され、シール領域よりも貫通穴の軸方向中央側の空間を、噴射口から洗浄液を噴射した際に洗浄液の昇圧を可能とする昇圧空間を形成した点をもって特徴付けられる。                                                                             
【００１２】
このように、本発明では、ノズルの外面と貫通穴の内面との間に、噴射口から噴射された洗浄液の昇圧を可能とする昇圧空間を形成するようにしたので、噴射口から噴射された洗浄液の液圧を昇圧空間内で高めて、内面を漏れなく洗浄することができる。また、昇圧空間内で洗浄液の液圧が高められるので、例えば内面に開口する油供給穴の如き細孔が貫通穴の内面に形成される場合、噴射口の位置が細孔の開口位置に一致していなくても、昇圧空間内で高圧化された洗浄液を細孔の内部にまで送り込むことができる。これにより、細孔内に存在する切粉等のゴミを高圧化された洗浄液で確実に洗い流すことができる。また、本発明によれば、ノズルを貫通穴に挿入するだけで、洗浄液の昇圧空間を形成することができる。よって、簡素な設備で貫通穴の内部に噴射した洗浄液の洗浄力（洗浄圧）を高めて、高品質の洗浄作業を実施することができる。
【００１３】
また、貫通穴の内面が複数の部品をサブアセンブリすることで形成される場合に、上記昇圧空間は、サブアセンブリされた状態の貫通穴にノズルを挿入して貫通穴の両端をシールすることで形成される。言い換えると、ノズルおよびサブアセンブリに係る複数の部品のみで昇圧空間が構成される。そのため、サブアセンブリに係る貫通穴の内面を洗浄する場合であっても、ノズルを貫通穴に挿入するだけで、別途の部品や治具を用いることなく洗浄液の昇圧空間を形成することができる。よって、簡素な設備で貫通穴の内部に噴射した洗浄液の洗浄力（洗浄圧）を高めて、高品質の洗浄作業を実施することができる。また、貫通穴の内面を形成する複数の部品をサブアセンブリした状態で洗浄を行うので、貫通穴の内面に仕上げ加工を施した後、サブアセンブリした部品を一旦組外し、洗浄後に組み直す手間が省ける。よって、作業工数の増加を招くことなく貫通穴を洗浄することができる。
【００１４】
また、本発明に係る洗浄方法においては、ノズルに、貫通穴の両端をシール可能なシール部を設け、かつ、シール部と、サブアセンブリにより貫通穴を形成する複数の部品との間に、ノズルの挿入により昇圧空間を形成可能な大きさの隙間を形成してもよい。
【００１５】
本発明は、ノズルを貫通穴に挿入して、貫通穴の両端をシールすることによりノズルの外面と貫通穴の内面との間に洗浄液の昇圧空間を形成することを特徴とするものであり、昇圧空間内における洗浄液の高圧化を狙いとする点に鑑みれば、貫通穴の両端は隙間なく完全に密閉されていることが好ましいようにも思えわれる。しかしながら、洗浄対象となるサブアセンブリ部品がシリンダヘッドやカムキャップの如き量産品で、かつ貫通穴の内面やその周囲の面（貫通穴が開口する端面）などに仕上げ加工が施されている場合、圧入等によりノズルをサブアセンブリ部品に当接させることは好ましくない。せっかく仕上げた面に傷が付くおそれがあるためである。よって、このような場合には、ノズルに、貫通穴の両端をシールするシール部を設けると共に、シール部と、サブアセンブリにより貫通穴を形成する複数の部品との間に、ノズルの挿入により昇圧空間を形成可能な大きさの隙間を形成するのがよい。昇圧空間を形成可能な程度の隙間をシール部とサブアセンブリに係る各部品との間に設けることで、ノズルの噴射口から噴射された洗浄液を昇圧可能としつつも、ノズルやノズルに設けたシール部がサブアセンブリに係る各部品と接触するのを可及的に回避して、上記各部品が傷付く事態を防止することが可能となる。
【発明の効果】
【００１６】
以上のように、本発明に係る洗浄方法によれば、貫通穴の内面に対する洗浄能力を高めると共に、洗浄効率を高めることができる。また、洗浄効率を高めることにより、作業工数の削減にもつながるので、結果的に製造コストの低減化にも寄与し得る。
【図面の簡単な説明】
【００１７】
【図１】本発明に係る洗浄方法の一実施形態を示す断面図であって、ノズルを貫通穴に挿入する前の状態を示す要部断面図である。
【図２】本発明に係る貫通穴を形成するサブアセンブリにより貫通穴を形成するシリンダヘッドとカムキャップの正面図である。
【図３】本発明に係る洗浄方法の一実施形態を示す断面図であって、ノズルを貫通穴に挿入した状態を示す要部断面図である。
【図４】図３に示す貫通穴および内面用ノズルの周辺を拡大した要部断面図である。
【図５】他の洗浄方法の一例を示す要部断面図である。
【発明を実施するための形態】
【００１８】
以下、本発明に係る洗浄方法の一実施形態を図面に基づき説明する。なお、この実施形態では、シリンダヘッドにカムキャップをサブアセンブリすることで形成される貫通穴としてのカム穴の内周面を洗浄する場合を例にとって以下説明する。なお、説明の便宜上、以下の実施形態では、ノズル（内面用ノズル）の貫通穴への挿入方向を上下方向とて説明する。
【００１９】
図１は、本発明の一実施形態に係る洗浄装置１の要部断面図を示している。この洗浄装置１は、図２に示すシリンダヘッド２の外面に設けられた複数のねじ穴３の内部を洗浄するための通常のノズル（図示は省略）と、シリンダヘッド２にカムキャップ４をサブアセンブリして形成される貫通穴５（カム穴）の内周面６を洗浄するための内面用ノズル７をベースプレート８に取り付けてなるもので、ベースプレート８と一体に設けたシリンダ（図示は省略）を駆動させることにより、ベースプレート８に取り付けた内面用ノズル７が昇降するようになっている。
【００２０】
内面用ノズル７は、ベースプレート８に垂下させた状態で取り付けられるノズル本体９と、ノズル本体９の外周に開口して形成される洗浄液の噴射口１０と、噴射口１０の軸方向先端側に配設され、貫通穴５の一端（下端）をシールする第１シール部１１と、噴射口１０の軸方向基端側（ベースプレート８側）に配設され、貫通穴５の他端（上端）をシールする第２シール部１２とを具備する。この実施形態では、内面用ノズル７を貫通穴５に挿入して、その両端をシールした状態で、貫通穴５の内周面６に開口した２本の油供給穴１３と径方向に対向する位置にそれぞれ噴射口１０が配設されている。各噴射口１０はノズル本体９の内部に形成された導管１４を介してベースプレート８側に設けられたポンプ（図示は省略）に接続されており、ポンプの駆動により、所定圧力の洗浄液（水など）が導管１４を介して各噴射口１０から噴射されるようになっている。
【００２１】
なお、この図示例では、油供給穴１３は、シリンダヘッド２とカムキャップ４の合わせ面１５，１６にそれぞれ溝状に形成されており（図１では、油供給穴１３のうち、カムキャップ４側の溝部分が示されている。）、図２に示すように、シリンダヘッド２にカムキャップ４をサブアセンブリすることにより両端を開口した穴状に形成される。もちろん、油供給穴１３は、シリンダヘッド２とカムキャップ４の何れか一方のみに形成されるものでもよい。
【００２２】
貫通穴５の下端をシールする第１シール部１１は、この実施形態では略筒状をなし、内面用ノズル７の貫通穴５への挿入時、図３に示すように、第１シール部１１の外周面１７と貫通穴５の内周面６との間をシールするようになっている。また、この実施形態では、外径一定の外周面１７の下端側（ノズル先端側）に、第１シール部１１を貫通穴５に案内するためのテーパ面１８が設けられると共に、第１シール部１１が、ノズル本体９の先端に規制部材１９をボルト締めすることにより軸方向の移動を規制されている。さらに、第１シール部１１とノズル本体９との間には、ノズル本体９に対する第１シール部１１の水平移動を許容するための径方向隙間２０が形成されている。以上の構成より、第１シール部１１はいわゆるフローティング機構として機能し、テーパ面１８とシリンダヘッド２（又はカムキャップ４）とが当接した際、当接状態を解消する向き（径方向）に移動して貫通穴５に挿入できるようになっている。
【００２３】
貫通穴５の上端をシールする第２シール部１２は、この実施形態では環状プレートをなすものであって、例えばねじ嵌合によりノズル本体９に固定される。そして、内面用ノズル７の貫通穴５への挿入時、図３に示すように、第２シール部１２は、その下端面２１と貫通穴５の上端が開口する上端面２２との間をシールするようになっている。
【００２４】
さらに、この実施形態では、内面用ノズル７を貫通穴５に挿入した際、図４に示すように、第１シール部１１の外周面１７と貫通穴５の内周面６との間に、径方向のクリアランス２３が形成されると共に、第２シール部１２の下端面２１と貫通穴５の上端が開口する上端面２２との間に、軸方向のクリアランス２４が形成されるようになっている。これらクリアランス２３，２４の幅寸法は、例えば、内面用ノズル７を貫通穴5に挿入して貫通穴５の両端をシールした際、昇圧空間２５を形成可能な大きさに設定される。なお、この場合、第１シール部１１、第２シール部１２により貫通穴５の両端はシールされるが、昇圧空間２５内における洗浄液の昇圧が可能であれば、ある程度の洗浄液の漏れ出しは許容しても差し支えない。
【００２５】
以下、上記構成の洗浄装置１を用いた洗浄方法の一例を説明する。
【００２６】
まず図１に示すように、洗浄対象となるワーク（シリンダヘッド２、カムキャップ４）の上方に配置した洗浄装置１の内面用ノズル７と、図示しない複数の通常のノズル（ノズル先端から洗浄液が噴射される）とをベースプレート８と共に下降させ、上記通常のノズルをシリンダヘッド２の外面に形成された複数のねじ穴３に挿入すると共に、内面用ノズル７を、シリンダヘッド２とカムキャップ４とのサブアセンブリにより形成される貫通穴５（図２を参照）に挿入する。そして、内面用ノズル７に設けた第１シール部１１および第２シール部１２により貫通穴５の両端をシールすることで、内面用ノズル７の外面と貫通穴５の内周面６との間に、噴射口１０から噴射された洗浄液の昇圧を可能とする昇圧空間２５を形成する（何れも図３を参照）。
【００２７】
このように、洗浄装置１に設けた内面用ノズル７の外面と貫通穴５の内周面６との間に、噴射口１０から噴射された洗浄液の昇圧を可能とする昇圧空間２５を形成するようにしたので、噴射口１０から噴射された洗浄液の液圧を昇圧空間２５内で高めて、内周面６を漏れなく洗浄することができる。また、昇圧空間２５内で洗浄液の液圧が高められることにより、高圧化された洗浄液を内周面６に開口する油供給穴１３の内部に送り込むことができる。これにより、油供給穴１３内に存在する切粉等のゴミを高圧化された洗浄液で確実に洗い流すことができる。また、シリンダヘッド２にカムキャップ４をサブアセンブリした状態の貫通穴５に内面用ノズル７を挿入して、貫通穴５の両端を第１および第２シール部１１，１２でシールすることにより昇圧空間２５を形成するようにしたので、内面用ノズル７を貫通穴５に挿入するだけの単純な作業で昇圧空間２５を形成することができる。よって、図１に示す洗浄装置１の如き簡素な設備で貫通穴５の内部に噴射供給した洗浄液の洗浄力（液圧）を高めて、高品質の洗浄作業を実施することができる。また、シリンダヘッド２にカムキャップ４をサブアセンブリした状態で洗浄作業を行うので、貫通穴５の洗浄のために、カムキャップ４をシリンダヘッド２から一旦組外して、洗浄後に組み直す手間が省ける。よって、貫通穴５を洗浄することによる作業工数を増加することなく高品質の洗浄を実施することができる。
【００２８】
また、この実施形態では、外径一定の外周面１７の下端側（ノズル先端側）に、第１シール部１１の下端に、第１シール部１１を貫通穴５に案内するためのテーパ面１８を設けると共に、第１シール部１１とノズル本体９との間に所定の径方向隙間２０を形成するようにした。これにより、第１シール部１１はいわゆるフローティング機構として機能し、例えば、製品ごとの寸法のばらつきにより、サブアセンブリにより形成される貫通穴５の位置が内面用ノズル７と水平方向にずれた場合であっても、テーパ面１８とシリンダヘッド２（又はカムキャップ４）とが当接した際、当接状態を解消する向きに第１シール部１１がノズル本体９に対して径方向に移動する。これにより、貫通穴５の下端を確実にシールすることができる。また、第１シール部１１と貫通穴５（を形成するシリンダヘッド２ないしカムキャップ４）とのカジリ等を回避することができる。
【００２９】
さらに、この実施形態では、内面用ノズル７を貫通穴５に挿入した状態で、第１シール部１１の外周面１７と貫通穴５の内周面６との間に径方向のクリアランス２３が形成されると共に、第２シール部１２の下端面２１と貫通穴５の上端が開口する上端面２２との間に、軸方向のクリアランス２４が形成されるようにし、かつ、これらクリアランス２３，２４の幅寸法を、洗浄液の昇圧空間２５を形成可能な大きさに設定した。上記の如きクリアランス２３，２４を介して貫通穴５の両端をシールするようにすれば、部品ごとに寸法のばらつきがあったとしても、噴射口１０から噴射された洗浄液の液圧を昇圧空間２５内で上昇させつつ、内面用ノズル７や双方のシール部１１，１２がシリンダヘッド２やカムキャップ４の仕上げ加工面となる内周面６や上端面２２と接触する事態を可及的に回避することができる。よって、これらの面６，２２が洗浄作業により傷付く事態を防止することができる。
【００３０】
以上、本発明に係る洗浄方法およびこの方法に用いられる洗浄装置の一実施形態を説明したが、これら洗浄方法および洗浄装置は、上記例示の形態に限定されることなく任意の形態を採ることができる。
【００３１】
例えば、第１シール部１１に関し、必ずしもフローティング機構（テーパ面１８，径方向隙間２０）を設ける必要はない。第２シール部１２に関しても同様に、貫通穴５の内周面６上方との間をシールするように構成してもよい。
【００３２】
また、第１シール部１１と内周面６との径方向のクリアランス２３、第２シール部１２と上端面２２との軸方向のクリアランス２４の大きさについても、貫通穴５の寸法精度の如何によっては、昇圧空間２５内が高圧化された洗浄液で満たされた状態において当該洗浄液が漏れ出さない程度の大きさに設定することも可能である。また、貫通穴５を構成する各サブアセンブリ部品と各シール部１１，１２との接触が問題ないような場合であれば、例えば第１シール部１１を貫通穴５の内周面６に圧入することによりシールすることも可能である。
【００３３】
また、本発明に係る洗浄方法および洗浄装置１は、上記実施形態に例示のサブアセンブリ部品（シリンダヘッド２とカムキャップ４）以外の部品に対しても適用可能である。例えばシリンダブロックにクランクケース等をサブアセンブリして形成される貫通穴（クランクシャフト用の軸受穴）の内周面を洗浄する場合にも、本発明を好適に使用できる。もちろん、１部品中に形成される貫通穴に対しても本発明に係る洗浄方法を適用することができる。あるいは、軸受穴以外の用途に用いられる貫通穴に対しても本発明に係る洗浄方法を適用することができる。
【符号の説明】
【００３４】
１      洗浄装置
２      シリンダヘッド
３      ねじ穴
４      カムキャップ
５      貫通穴
６      内周面
７      内面用ノズル
８      ベースプレート
９      ノズル本体
１０    噴射口
１１    第１シール部
１２    第２シール部
１３    油供給穴
１４    導管
１５    合わせ面（シリンダヘッド側）
１６    合わせ面（カムキャップ側）
１７    外周面
１８    テーパ面
１９    規制部材
２０    径方向隙間
２１    下端面
２２    上端面
２３，２４  クリアランス
２５      昇圧空間
１０５  （貫通）穴
１０６  内周面
１０７  ノズル
１０９  ノズル本体
１１０  噴射口
１１３  油供給穴
【図１】
0005791096.tif 000002
【図２】
0005791096.tif 000003
【図３】
0005791096.tif 000004
【図４】
0005791096.tif 000005
【図５】
0005791096.tif 000006